(57)【要約】  携帯端末装置１では、ユーザにより機能選択がなされると、データ収集システム（１６）が、選択された機能に割り当てられた識別番号を収集し、収集した識別番号を管理テーブル（１２２）へ登録してメモリ（１２）に記憶させる。例えば、ユーザの操作により入力部（１５）に指示が入力されると、選択された機能に割り当てられた識別番号が生成され、これが入力部（１５）より制御部（１３）に送出され、当該識別番号を受け付けた制御部（１３）が、対応する機能を実行する。このようにして送出されている識別番号を、データ収集システム（１６）は収集して管理テーブル（１２２）に登録する。
2008020537.tif 000002
【特許請求の範囲】
【請求項１】
自装置内の複数の機能を機能リストとして表示する携帯端末本体と、
前記機能の使用履歴を作成して保存する収集手段と、
前記使用履歴を分析して前記機能リストを作成する分析手段と
を有することを特徴とする携帯端末装置。
【請求項２】
請求項１記載の携帯端末装置において、
前記収集手段は、前記機能が使用された際に生成された前記機能に対応する識別番号を収集し、収集した識別番号をもとに前記使用履歴を作成する
ことを特徴とする携帯端末装置。
【請求項３】
請求項１記載の携帯端末装置において、
外部より入力された時間帯を設定する時間帯設定機能を備え、
前記収集手段は、前記時間帯設定機能により設定された時間帯における前記機能の使用履歴を作成して保存する
ことを特徴とする携帯端末装置。
【請求項４】
請求項１記載の携帯端末装置において、
前記分析手段は、使用頻度の高い機能を上位にリストアップして前記機能リストを作成することを特徴とする携帯端末装置。
【請求項５】
請求項１記載の携帯端末装置において、
前記分析手段は、前記収集手段で前記使用履歴が作成される毎に前記機能リストを更新することを特徴とする携帯端末装置。
【請求項６】
請求項１記載の携帯端末装置において、
前記分析手段は、複数の前記機能リストを保存し、
前記携帯端末本体は、前記機能リストの表示指示に応答し、表示指示を受け付けた時刻を含む前記時間帯に対応する機能リストを前記複数の機能リストの中から選択して表示する
ことを特徴とする携帯端末装置。
【請求項７】
自装置内の複数の機能を機能リストとして表示する機能リスト基本ステップと、
前記機能の使用履歴を作成して保存する収集ステップと、
前記使用履歴を分析して前記機能リストを作成する分析ステップと
を有することを特徴とする機能リスト提供方法。
【請求項８】
請求項７記載の機能リスト提供方法において、
前記収集ステップでは、前記機能が使用された際に生成された前記機能に対応する識別番号を収集し、収集した識別番号をもとに前記使用履歴を作成する
ことを特徴とする機能リスト提供方法。
【請求項９】
請求項７又は８記載の機能リスト提供方法において、
外部より入力された時間帯を設定する時間帯設定機能を備え、
前記収集ステップでは、前記時間帯設定機能により設定された時間帯における前記機能の使用履歴を作成して保存する
ことを特徴とする機能リスト提供方法。
【請求項１０】
請求項７〜９のいずれか１項に記載の機能リスト提供方法において、
前記分析ステップでは、使用頻度の高い機能を上位にリストアップして前記機能リストを作成することを特徴とする機能リスト提供方法。
【請求項１１】
請求項７〜９のいずれか１項に記載の機能リスト提供方法において、
前記分析ステップでは、前記収集ステップでで前記使用履歴が作成される毎に前記機能リストを更新することを特徴とする機能リスト提供方法。
【請求項１２】
請求項７〜９のいずれか１項に記載の機能リスト提供方法において、
前記分析ステップでは、複数の前記機能リストを保存し、
前記携帯端末本体は、前記機能リストの表示指示に応答し、表示指示を受け付けた時刻を含む前記時間帯に対応する機能リストを前記複数の機能リストの中から選択して表示する
ことを特徴とする機能リスト提供方法。
【請求項１３】
自装置内の複数の機能を機能リストとして表示する携帯端末装置に、
前記機能の使用履歴を作成して保存する収集機能と、
前記使用履歴を分析して前記機能リストを作成する分析機能と
を実現させるためのプログラム。
【発明の詳細な説明】
【技術分野】
【０００１】
本願は、２００６年８月１６日に出願された日本出願特許２００６−２２１７４０号を基礎とする優先権を主張し、その日本出願の開示は参照により全てここに取り込まれる。
本発明は、携帯端末装置及びそれに用いる機能リスト提供方法並びにそのプログラムに関し、特にユーザの携帯端末装置における機能の使用傾向を分析し、使用頻度順に並べた機能リストを提供する方法に関するものである。
【背景技術】
【０００２】
近年、携帯電話機やＰＤＡ（Ｐｅｒｓｏｎａｌ  Ｄｉｇｉｔａｌ  Ａｓｓｉｓｔａｎｔ）等の携帯端末装置においては、カメラ機能やスケジュール機能等、多くの機能を備え、ユーザがそれらの機能を操作しやすくしたユーザインタフェースが採用されている（例えば、特開２００５−２２９３１０号公報参照）。【０００３】
また、上記の携帯端末装置においては、使用頻度の高い機能を選択し、ユーザオリジナルのメニューを作成することができる方法も提案されている（例えば、特開２００４−２８７７０２号公報参照）。
【発明の開示】
【発明が解決しようとする課題】
【０００４】
しかしながら、上述した従来の携帯端末装置では、使用頻度の高い機能とユーザが判断した機能とをわざわざ登録する必要がある。つまり、従来の携帯端末装置には、使用頻度の高い機能をユーザが選択し、ユーザオリジナルのメニューを作成する機能があるが、使用頻度に応じたリストを携帯端末装置が自動で提供するようにはなっていないという問題があった。【０００５】
そこで、本発明の目的は、上記の問題点を解消し、使用頻度に応じたリストを自動的に生成することができ、操作の簡素化を図ることができる携帯端末装置及びそれに用いる機能リスト提供方法並びにそのプログラムを提供することにある。
【課題を解決するための手段】
【０００６】
本発明に係る携帯端末装置は、自装置内の複数の機能を機能リストとして表示する携帯端末本体と、機能の使用履歴を作成して保存する収集手段と、使用履歴を分析して機能リストを作成する分析手段とを少なくとも備えるようにしたものである。【０００７】
また、本発明に係る機能リスト提供方法は、自装置内の複数の機能を機能リストとして表示する機能リスト基本ステップと、機能の使用履歴を作成して保存する収集ステップと、使用履歴を分析して機能リストを作成する分析ステップとを備えるようにしたものである。
【発明の効果】
【０００８】
以上説明したように、本発明によれば、機能の使用履歴を作成し、この使用履歴を分析して機能リストを作成するようにしたので、使用頻度に応じたリストを自動的に生成することができ、操作の簡素化を図ることができるようになるという優れた効果が得られる。
【図面の簡単な説明】
【０００９】
【図１】図１は、本発明の実施例１における携帯端末装置１の構成を示す構成図である。
【図２】図２は、本発明の実施例１における携帯端末装置１の機能リストの作成希望曜日・時間帯登録処理を示すフローチャートである。
【図３】図３は、本発明の実施例１おける携帯端末装置１の機能リストの作成・実行処理を示すフローチャートである。
【図４】図４は、本発明の実施例１の携帯端末装置１における機能リストの作成・実行処理を説明するための説明図である。
【図５】図５は、本発明の実施例１の携帯端末装置１における機能リストの作成・実行処理を説明するための説明図である。
【図６】図６は、本発明の実施例２おける携帯端末装置ａの構成を示す構成図である。
【図７】図７は、本発明の実施例２おける携帯端末装置１ａの機能リストの作成希望曜日・時間帯登録処理を示すフローチャートである。
【図８】図８は、本発明の実施例２の携帯端末装置１ａにおける機能リストの作成・実行処理を説明するための説明図である。
【図９】図９は、本発明の実施例２の携帯端末装置１ａにおける機能リストの作成・実行処理を説明するための説明図である。
【図１０】図１０は、本発明の実施例２の携帯端末装置１ａにおける機能リストの作成・実行処理を説明するための図である。
【発明を実施するための最良の形態】
【００１０】
以下、本発明の実施例について図を参照して説明する。
［実施例１］
はじめに、本発明の第１実施例について説明する。図１は、本実施例１における携帯端末装置の構成を示す構成図である。本実施例１の携帯端末装置１は、アンテナ１１、メモリ１２、制御部１３、表示部１４、及び入力部１５よりなる従来公知の携帯端末本体１’を備えている。携帯端末本体１’（携帯端末装置１）は、例えば、電卓機能，スケジュール機能，及びカメラ機能などを備えている（特開２００２−１０１１８１号公報，特開２００４−１７８３６３号公報，特開２００４−２８７７０２号公報，特開２００４−３４８２１７号公報，及び特開２００５−２２９３１０号公報参照）。また、携帯端末本体１’は、制御部１３の制御により、自装置内の複数の機能を機能リストとして表示部１４に表示する。【００１１】
加えて、実施例１における携帯端末装置１は、データ収集システム１６及びデータ分析システム１７を新たに備えるようにしている。また、本実施例１における携帯端末装置１は、制御部１３に時間帯設定機能１３’を備え、入力部１５にリスト閲覧キー１５１を備えている。また、携帯端末装置１では、メモリ１２に、データ収集モード（ＯＮ／ＯＦＦ）１２１，管理テーブル１２２，及びリスト（機能リスト）１２３が形成される。なお、時間帯設定機能１３’及びリスト閲覧キー１５１は、必ず必要なものではない。【００１２】
携帯端末装置１内の各機能ブロックは、各々次のように動作する。まず、携帯端末本体１’においては、ユーザが、表示部１４に表示された、携帯端末本体１’（携帯端末装置１）の機能一覧から希望の機能を選択すると、この操作により、入力部１５から選択指示が入力される。この選択指示の入力により、制御部１３は、入力部１５からの入力された選択指示を基にユーザが希望する機能を実行する。ユーザは、制御部１３の制御によって動作が実行されたことを、表示部１４に表示された状態により確認することができる。【００１３】
携帯端末本体１’（携帯端末装置１）は、例えば、ＣＰＵ（制御部１３を含む）と記憶装置（メモリ１２）とネットワーク接続装置（制御部１３及びアンテナ１１）とデータ入出力装置となどを備えた通信可能なコンピュータ機器であり、主記憶装置に展開されたプログラムによりＣＰＵが動作することで、上述し、また後述する各機能が実現されるものである。また、上記プログラムは、所定の記憶媒体に記憶されて提供され、携帯端末本体１’のデータ入出力装置やネットワーク接続装置により携帯端末装置１ａの記憶装置に導入することができる。【００１４】
本発明の携帯端末装置１では、上述したようにユーザにより機能選択がなされると、データ収集システム１６が、選択された機能に割り当てられた識別番号を収集し、収集した識別番号を管理テーブル１２２へ登録してメモリ１２に記憶させる。例えば、ユーザの操作により入力部１５に指示が入力されると、選択された機能に割り当てられた識別番号が生成され、これが入力部１５より制御部１３に送出され、当該識別番号を受け付けた制御部１３が、対応する機能を実行する。このようにして送出されている識別番号を、データ収集システム１６は収集して管理テーブル１２２に登録する。また、例えば、制御部１３の時間帯設定機能１３’により所定の時間帯が設定されている場合、データ収集システム１６は、設定されている時間帯において上述した収集を行う。【００１５】
以上のようにしてデータ収集システム１６が識別番号を収集して管理テーブル１２２に登録すると、データ分析システム１７が、収集されて登録されているデータを分析し、使用頻度の降順、同順の場合に直近に使用した機能（識別番号）が上位に位置するようにリスト１２３を作成する。このように作成されたリスト１２３の内容は、制御部１３の制御により表示部１４に表示される。【００１６】
例えば、ユーザにより、入力部１４に割り当てられたリスト閲覧キー１５１が操作されると、機能リスト表示の指示が携帯端末本体１’に入力される。この入力を受け付けた制御部１３の動作により、リスト１２３の内容がユーザに視認可能な状態に表示部１４に表示される。このように表示部１４に表示されたリスト１２３の中より、ユーザが希望する機能を選択すれば、前述同様に、制御部１３の制御により希望された機能が実行される。【００１７】
図２は、本発明の実施例１における携帯端末装置１の、聖書部１３の時間帯設定機能１３’による機能リストの作成希望曜日・時間帯登録処理を示すフローチャートである。これら図１及び図２を参照して携帯端末装置１による機能リストの作成希望曜日・時間帯登録の処理について説明する。なお、図２に示す処理は、前述したようにＣＰＵが記憶装置に記憶された、プログラムを実行することで実現される。このプログラムは、自装置内の複数の機能を機能リストとして表示する携帯端末装置１に、機能の使用履歴を作成して保存する収集機能と、使用履歴を分析して機能リストを作成する分析機能とを実現させるためのものである。【００１８】
まず、携帯端末装置１の制御部１３の時間帯設定機能１３’は、機能リスト作成希望の登録有無を確認し、機能リストを新規登録することができるかどうか判断する（図２ステップＳ１）。機能リストを登録することができる場合、制御部１３の時間帯設定機能１３’は、ユーザがリスト作成を希望する曜日・時間帯を設定し（図２ステップＳ２）、設定した内容をメモリ１２に保存して登録を完了する（図２ステップＳ３）。ユーザがリスト作成を希望する曜日・時間帯は、ユーザの操作により携帯端末装置１に入力されたものである。【００１９】
制御部１３の時間帯設定機能１３’は、機能リストが既存している場合、登録済みのリストに上書きするかどうかを判断する（図２ステップＳ４）。機能リストを既存のリストに上書きする場合、制御部１３の時間帯設定機能１３’はステップＳ１に戻る。また、機能リストを既存のリストに上書きしない場合、制御部１３の時間帯設定機能１３’は、新たな機能リストを登録せず（図２ステップＳ５）、処理を終了する。【００２０】
図３は、本発明の実施例１による携帯端末装置１の機能リストの作成・実行処理を示すフローチャートである。これら図１及び図３を参照して携帯端末装置１による機能リストの作成・実行処理について説明する。なお、図３に示す処理は、前述したようにＣＰＵが記憶装置に記憶されたプログラムを実行することで実現される。【００２１】
携帯端末装置１において、図２のステップＳ３で登録されたリスト作成の指定曜日・時間になると（図３ステップＳ１１）、制御部１３の時間帯設定機能１３’は、データ収集モード１２１を自動的にＯＮに設定する（図３ステップＳ１２）。例えば、データ収集モード１２１は、データ収集の状態を示すフラグであり、時間帯設定機能１３’は、登録されたリスト作成の指定曜日・時間になると、メモリ１２に、データ収集モードの状態であることを示すフラグを立てる（データ収集モード１２１をＯＮに設定する）。後述するように、データ収集モードを示すフラグが立っていると、データ収集システム１６及びデータ分析システム１７が所定の動作を行う。【００２２】
このようなデータ収集モードの状態において、ユーザの操作により任意の機能の実行の指示が入力され、制御部１３が、ユーザの操作により入力された指示による任意の機能を実行すると（図３ステップＳ１３）、まず、データ収集システム１６が、機能に割り当てられた識別番号を収集し（図３ステップＳ１４）、収集したデータを管理テーブル１２２へ登録する（図３ステップＳ１５）。次に、データ分析システム１７が、メモリ１２に登録したデータを分析し（図３ステップＳ１６）、リスト１２３を作成する（図３ステップＳ１７）。【００２３】
この後、時間帯設定機能１３’が、リスト作成指定時間の終了を判定すると（図３ステップＳ１８）、時間帯設定機能１３’は、データ収集モード１２１を自動的にＯＦＦに変更する（図３ステップＳ１９）。このことにより、データ収集システム１６は、収集動作を停止し、上記の処理を終了する。なお、時間帯設定機能１３’が、リスト作成指定時間の終了を判定するまで（指定時間内であれば）、上述したステップＳ１３〜ステップＳ１７の動作を継続し、リスト１２３を更新する。【００２４】
図４及び図５は本発明の実施例１による携帯端末装置１における機能リストの作成・実行処理を説明するための説明図である。これら図４，図５及び図１を参照して携帯端末装置１における機能リストの作成・実行処理について説明する。【００２５】
例えば、携帯端末装置１が待ち受け画面を表示している状態（図４のａ１）から、ユーザが、携帯端末装置１を操作して機能リストを作成したい曜日・時間帯（月〜金曜日、１２：００〜１３：００）を設定する（図４のａ２）。携帯端末装置１は、リスト作成希望時間である月曜日１２：００となった時、データ収集モードを自動的にＯＮとする（図４のａ３）。【００２６】
上述した状態で、ユーザの操作により任意の機能［本例では電卓機能（図４のａ４）］が使用されると、携帯端末装置１では、電卓機能に割り当てられた識別番号「００４」をデータ収集システム１６が収集して管理テーブル１２２に保存する。この場合、データ収集モード直後の機能の実行であり、管理テーブル１２２は、識別番号「００４」を含む１つのレコードより構成されていることになる。ここで、管理テーブル１２２には、例えば、識別番号と共に実行された日時を含んで１つのレコードとして保存しても良い。また、データ分析システム１７が、管理テーブル１２２を分析してリスト１２３を作成する。この場合、データ収集モード直後の機能の実行であり、データ分析システム１７は、識別番号「００４」を含む１つのレコードよりなるリスト１２３を作成する。【００２７】
次に、ユーザの操作により、電卓機能が終了され、ツールリスト画面（図４のａ５）へ戻り、続いてスケジュール機能が実行される（図４のａ６）。この操作入力により、携帯端末装置１では、データ収集システム１６が、スケジュール機能に割り当てられた識別番号「００６」を収集して管理テーブル１２２に保存（追加）する。また、データ分析システム１７が、管理テーブル１２２を分析してリスト１２３を更新する。【００２８】
次に、ユーザの操作により、スケジュール機能が終了され（図４のａ７）、再びツールリスト（図４のａ８）から電卓機能が使用されると（図５のａ９）、上記と同様に、携帯端末装置１では、データ収集システム１６が、電卓機能に割り当てられた識別番号「００４」を収集して管理テーブル１２２に保存する。また、データ分析システム１７が、管理テーブル１２２を分析してリスト１２３を更新する。【００２９】
このとき、管理テーブル１２２には、識別番号「００４」を備えた２つのレコードと、識別番号「００６」を備えた１つのレコードとが格納されていることになる。従って、データ分析システム１７は、使用頻度の高い識別番号「００４」の機能（電卓機能）が高い順位となり、これより使用頻度の低い識別番号「００６」の機能（スケジュール機能）が低い順位となるように、リスト１２３を更新する。【００３０】
次に、ユーザの操作により電卓機能の使用が終了され、待ち受け画面（図５のａ１０）に戻り、続いて、カメラ機能が使用されると（図５のａ１１）、上記と同様に、携帯端末装置１では、まず、データ収集システム１６が、カメラ機能に割り当てられた識別番号「０１１」を収集して管理テーブル１２２に保存する。この後、データ分析システム１７が管理テーブル１２２を分析してリスト１２３を更新する。【００３１】
このとき、管理テーブル１２２には、識別番号「００４」を備えた２つのレコード、識別番号「００６」を備えた１つのレコード、及び識別番号「０１１」を備えた１つのレコードが格納されていることになる。従って、データ分析システム１７は、使用頻度の高い識別番号「００４」の機能（電卓機能）が最も高い順位となるように、リスト１２３を更新する。また、データ分析システム１７は、同じ使用頻度の識別番号「００６」及び識別番号「０１１」においては、より使用時期が新しい識別番号「０１１」の機能（カメラ機能）がより高い順位となるように、リスト１２３を更新する。【００３２】
次に、ユーザの操作によりカメラの使用が終了され（図５のａ１２）、この後、リスト作成希望終了時間である１３：００となった時、携帯端末装置１では、時間帯設定機能１３’が、データ収集モード１２１を自動的にＯＦＦに変更する（図５のａ１３）。ユーザは、上記のようにして作成されたリスト１２３を、随時、携帯端末装置１のリスト閲覧キー１５１を押下することで、閲覧することができる（図５のａ１４）。上述した例の場合、電卓機能が２回使用されているため、使用頻度が最も高く、最上位に位置付けられる。スケジュール機能、カメラ機能は各１回使用されているため、直近に使用したカメラ機能がスケジュール機能より上位に位置付けられる（図５のａ１４参照）。【００３３】
以上に説明したように、本発明の携帯端末装置では、ユーザが自端末上で任意の機能を使用している間、データ収集システムにて機能使用履歴を収集し、収集した機能使用履歴における使用傾向を分析するためのデータを抽出する。抽出されたデータは分析システムで分析され、機能リストが作成される。【００３４】
ユーザは携帯端末装置に備わるリスト閲覧キーを押下することで、上記機能リストを閲覧することが可能となり、また機能リストから選択された機能を実行することが可能となる。この機能リストは自動更新されるため、常にユーザの使用状況と適合したものを提示することが可能となり、また使用頻度が高い機能を機能リストから実行することが可能となる。【００３５】
従来の携帯端末装置には使用頻度の高い機能をユーザが選択し、ユーザオリジナルのメニューを作成する機能があるが、使用頻度に応じたリストを携帯端末装置が自動で提供するシステムは備わっていない。【００３６】
これに対して、本実施例における携帯端末装置１では、ユーザが使用した携帯端末装置１の各機能の使用履歴のデータを収集・分析してリスト１２３を作成し、作成したリスト１２３を自動更新しているので、ユーザは、実使用上で使用頻度が高い機能をリスト１２３で確認して実行することができる。この結果、本実施例における携帯端末装置１によれば、ユーザは、操作の簡素化を図ることができる。【００３７】
［実施例２］
次に、本発明の実施例２について説明する。図６は、本発明の実施例２における携帯端末装置１ａの構成を示す構成図である。図６において、本発明の実施例２の携帯端末装置１ａでは、新たに、複数の管理テーブル１８１〜１８Ｎと複数のリスト１９１〜１９Ｎとを備えたメモリ１８を設けたものである。これ以外は、図１に示す本発明の実施例１による携帯端末装置１と同様の構成となっており、同一構成要素には同一符号を付してある。【００３８】
前述した本発明の実施例１による携帯端末装置１では、ユーザが設定した時間（時間帯）に抽出されたデータ（管理テーブル）で作成されたリストを１つ保持しているが、本実施例２では、時間帯や平日・休日等の使用環境の異なる場合において、複数の管理テーブル１８１〜１８Ｎ及び複数個のリスト１９１〜１９Ｎを保持させている。【００３９】
従って、本実施例２における携帯端末装置１ａは、メモリ１８内に、データ収集モード１２１と、管理テーブル（＃１〜＃Ｎ）１８１〜１８Ｎと、リスト（＃１〜＃Ｎ）１９１〜１９Ｎとを設けている。【００４０】
なお、携帯端末装置１ａも、例えば、ＣＰＵ（制御部１３を含む）と記憶装置（メモリ１８）とネットワーク接続装置（制御部１３及びアンテナ１１）となどを備えた通信可能なコンピュータ機器であり、主記憶装置に展開されたプログラムによりＣＰＵが動作することで、上述し、また後述する各機能が実現されるものである。【００４１】
上述したように構成した携帯端末装置１ａでは、ユーザが設定した曜日・時間になり、制御部１３の時間帯設定機能１３’がデータ収集モード１２１をＯＮとすると、データ収集システム１６が使用した機能に割り当てられた識別番号を収集して管理テーブル（＃１）１８１に登録し、これをデータ分析システム１７で分析してリスト（＃１）１９１を作成する。また、データ収集希望時間が複数個登録されている場合には、データ収集システム１６は、設定されている時間帯に対応し、収集した識別番号を備えるレコードを管理テーブル（＃１〜＃Ｎ）１８１〜１８Ｎに登録し、データ分析システム１７が、各々リスト（＃１〜＃Ｎ）１９１〜１９Ｎを作成する。【００４２】
本実施例２では、収集したデータをデータ分析システム１７で分析し、使用頻度の降順、同順の場合に直近に使用した機能が上位に位置するリスト（＃１〜＃Ｎ）１９１〜１９Ｎを作成する。このように作成されたリスト（＃１〜＃Ｎ）１９１〜１９Ｎの内容は、ユーザからの機能リストの表示指示に応答した制御部１３（携帯端末本体１’）の動作により、表示指示を受け付けた時刻を含む時間帯に対応する機能リストが、作成されたリスト（＃１〜＃Ｎ）１９１〜１９Ｎの中より選択されて表示される。【００４３】
例えば、ユーザにより、入力部１４に割り当てられたリスト閲覧キー１５１が操作されると、対応する機能リスト表示の指示が携帯端末本体１’に入力される。この入力を受け付けた制御部１３の動作により、対応する機能リストの内容がユーザに視認可能な状態に表示部１４に表示される。このように表示部１４に表示されたいずれかの機能リストの中より、ユーザが希望する機能を選択すれば、前述同様に、制御部１３の制御により希望された機能が実行される。【００４４】
図７は、実施例２における携帯端末装置１ａの機能リストの作成希望曜日・時間帯登録処理を示すフローチャートである。これら図６及び図７を参照して携帯端末装置１ａによる機能リストの作成希望曜日・時間帯登録の処理について説明する。なお、図７に示す処理は、前述したようにＣＰＵが記憶装置に記憶されたプログラムを実行することで実現される。【００４５】
まず、制御部１３の時間帯設定機能１３’は、携帯端末装置１ａのリスト登録件数を確認し、新規リストを登録することができるかどうかを判断する（図７ステップＳ２１）。新規リストを登録することができる場合、時間帯設定機能１３’は、ユーザがリスト作成を希望する曜日・時間帯を設定し（図７ステップＳ２２）、設定した内容をメモリ１８に保存して登録を完了する（図７ステップＳ２３）。【００４６】
制御部１３の時間帯設定機能１３’は、リスト登録件数がフルの場合、登録済みのリストを削除するかどうかを判定する（図７ステップＳ２４）。登録済みのリストを削除する場合、時間帯設定機能１３’は、削除するリストを選択して削除し（図７ステップＳ２５）、ステップＳ２１に戻る。登録済みのリストを削除しない場合、時間帯設定機能１３’は、新規リストを登録せずに（図７ステップＳ２６）、処理を終了する。【００４７】
なお、本発明の実施例２による携帯端末装置１ａの機能リストの作成・実行処理については、図３に示す本発明の実施例１による携帯端末装置１の機能リストの作成・実行処理と同様であるので、その説明については省略する。【００４８】
図８〜図１０は、本発明の実施例２による携帯端末装置１ａにおける機能リストの作成・実行処理を説明するための説明図である。これら図８〜図１０及び図６を参照して携帯端末装置１ａにおける機能リストの作成・実行処理について説明する。【００４９】
例えば、携帯端末装置１ａは待ち受け画面を表示している状態（図８のｂ１）から、ユーザが、携帯端末装置１ａを操作して機能リスト一覧を表示させる（図８のｂ２）。携帯端末装置１ａでは、時間帯設定機能１３’が、リストを作成したい曜日・時間帯（月〜金曜日、１２：００〜１３：００）を設定し（図８のｂ３）、機能リストに追加する（図８のｂ４）。携帯端末装置１ａでは、時間帯設定機能１３’が、リスト作成希望時間である月曜日１２：００となった時、データ収集モード１２１を自動的にＯＮにする（図８のｂ５）。【００５０】
ユーザの操作により任意の機能が使用される際、本実施例２では、表示部１４における表示が、ツールリスト画面へ遷移する（図８のｂ６）。この状態より、ユーザの操作により電卓機能が使用されると（図８のｂ７）、携帯端末装置１ａでは、データ収集システム１６が、電卓機能に割り当てられた識別番号「００４」を収集して管理テーブル（＃１）１８１に保存する。また、データ分析システム１７が、管理テーブル（＃１）１８１を分析してリスト（＃１）１９１を作成する。【００５１】
次に、ユーザの操作により電卓機能が終了されると、再びツールリスト画面へ戻る（図８のｂ８）。この後、ユーザの操作により続いてスケジュール機能が実行される（図９のｂ９）。この操作入力により、携帯端末装置１ａでは、データ収集システム１６が、スケジュール機能に割り当てられた識別番号「００６」を収集して管理テーブル（＃１）１８１に保存する。また、データ分析システム１７が、管理テーブル（＃１）１８１を分析してリスト（＃１）１９１を更新する。【００５２】
次に、ユーザの操作によりスケジュール機能が終了されると（図９のｂ１０）、再びツールリスト画面へ戻る（図９のｂ１１）。この後、ユーザの操作により電卓機能が使用されると（図９のｂ１２）、上記と同様に、携帯端末装置１ａでは、データ収集システム１６が、電卓機能に割り当てられた識別番号「００４」を収集して管理テーブル（＃１）１８１に保存する。また、データ分析システム１７が、管理テーブル（＃１）１８１を分析してリスト（＃１）１９１を更新する。【００５３】
次に、ユーザの操作により電卓機能の使用が終了されて待ち受け画面に戻り（図９のｂ１３）、続いて、カメラ機能が使用されると（図９のｂ１４）、上記と同様に、携帯端末装置１ａでは、データ収集システム１６が、カメラ機能に割り当てられた識別番号「０１１」を収集して管理テーブル（＃１）１８１に保存する。また、データ分析システム１７が、管理テーブル（＃１）１８１を分析してリスト（＃１）１９１を更新する。【００５４】
次に、ユーザの操作によりカメラ機能の使用が終了され（図９のｂ１５）、この後、リスト作成希望終了時間である１３：００となった時、携帯端末装置１ａでは、時間帯設定機能１３’が、データ収集モード１２１を自動的にＯＦＦに変更する（図９のｂ１６）。【００５５】
ユーザは、上記の処理動作で作成されたリスト１２３を、随時、携帯端末装置１ａのリスト閲覧キー１５１を押下して閲覧することができる（図１０のｂ１７）。先に登録したリスト（＃１）１９１（月〜金曜日１２：００〜１３：００）を選択すると、機能リスト＃１が表示される（図１０のｂ１８）。この場合には、電卓機能が２回使用されているため、使用頻度が最も高く、最上位に位置付けられる。スケジュール機能及びカメラ機能は、各１回使用されているため、直近に使用したカメラ機能が、スケジュール機能より上位に位置付けられる。【００５６】
機能リスト（図１０のｂ１７）のリスト（＃２）１９２（土曜日２１：００〜２３：００）を選択すると、機能リスト＃２が表示され（図１０のｂ１９）、機能リスト（図１０のｂ１７）のリスト（＃３）１９３（日曜日１３：００〜１４：００）を選択すると、機能リスト＃３が表示され（図１０のｂ２０）、各機能リスト＃１〜＃３から機能を直接実行することができる。また、ユーザの操作により日曜日１２：４５にリスト閲覧キー１５１が押下されると、現在の曜日・時刻と最も近いリストが最上位に表示される（図１０のｂ２１）。【００５７】
このように、本実施例２では、ユーザが使用した携帯端末装置１ａの各機能の使用履歴のデータを収集・分析して複数のリスト（＃１〜＃Ｎ）１９１〜１９Ｎを作成し、これら複数のリスト（＃１〜＃Ｎ）１９１〜１９Ｎを自動更新させることによって、ユーザが実使用上で使用頻度が高い機能をリスト（＃１〜＃Ｎ）１９１〜１９Ｎで確認して実行することができる。その結果、本実施例２では、複数のリスト（＃１〜＃Ｎ）１９１〜１９Ｎを設定するような場合でも、ユーザの操作の簡素化を図ることができる。【００５８】
以上、この発明の実施例を図面により詳述してきたが、具体的な構成は上記実施例に限られるものではなく、この発明の要旨を逸脱しない範囲の設計の変更などがあっても、この発明に含まれる。
【産業上の利用可能性】
【００５９】
本発明は、携帯電話などに、好適に用いられる。
【図１】
2008020537.tif 000003
【図２】
2008020537.tif 000004
【図３】
2008020537.tif 000005
【図４】
2008020537.tif 000006
【図５】
2008020537.tif 000007
【図６】
2008020537.tif 000008
【図７】
2008020537.tif 000009
【図８】
2008020537.tif 000010
【図９】
2008020537.tif 000011
【図１０】
2008020537.tif 000012
【国際調査報告】
2008020537.tif 000013
2008020537.tif 000014